(57)【要約】【課題】特性の劣化を招くことなく、演算の簡単化と処理量の減少とを図り、装置の構造を簡単かつ小型化することが可能な適応型ダイバーシティ受信装置を提供する。【解決手段】ｉ番目のアンテナ系＃ｉにおいて、位相同期回路２−ｉを出た信号は加算器５−ｉと適応フィルタ６−ｉとからなる等化回路に入力される。加算器５−ｉの出力は他のアンテナ系＃１，・・・，＃Ｉからの信号とともに、合成用加算回路４１に入力される。合成用加算回路４１の出力は適応フィルタ６−ｉに入力される。適応フィルタ６−ｉから出力された受信信号推定値は加算器５−ｉに加えられる。適応フィルタ６−ｉは加算器５−ｉの出力電力が小さくなるようにフィルタ係数を修正する。【選択図】　　　図４
2004040424.tif 000002
【特許請求の範囲】
【請求項１】
親局からの信号を受信する複数のアンテナと、前記複数のアンテナで受信した受信信号各々に対して適応等化する複数の等化手段と、前記複数の等化手段各々の適応等化の結果から合成ダイバーシティ信号を生成する生成手段とを有し、
前記複数の等化手段各々は、前記受信信号と前記親局からの信号の歪みの推定値との差を求め、この差信号を基に前記推定値を生成して等化を行うことを特徴とする適応型ダイバーシティ受信装置。
【請求項２】
親局からの信号を受信する複数のアンテナと、前記複数のアンテナで受信した受信信号各々に対して適応等化する複数の等化手段と、前記複数の等化手段各々の適応等化の結果から合成ダイバーシティ信号を生成する生成手段とを有し、
前記複数の等化手段各々は、前記受信信号と前記親局からの信号の歪みの推定値との差を求め、前記差信号と前記合成ダイバーシティ信号とを基に前記推定値を生成して等化を行い、
前記生成手段は、前記複数のアンテナ各々の系列における差信号から前記合成ダイバーシティ信号を生成することを特徴とする適応型ダイバーシティ受信装置。
【請求項３】
前記複数の等化手段各々は、前記受信信号を直交変換して各周波数における伝送路特性を推定し、その推定値を基に前記合成ダイバーシティ信号の生成における重み付けを決定することを特徴とする請求項１または請求項２記載の適応型ダイバーシティ受信装置。
【請求項４】
前記複数のアンテナで受信した受信信号の位相を合わせて適応等化することを特徴とする請求項１から請求項３のいずれか記載の適応型ダイバーシティ受信装置。
【請求項５】
前記複数のアンテナで受信した受信信号の適応等化を行い、それら適応等化された信号の位相を合わせることを特徴とする請求項１から請求項３のいずれか記載の適応型ダイバーシティ受信装置。
【請求項６】
親局からの信号を複数のアンテナで受信し、前記複数のアンテナで受信した受信信号各々に対して適応等化し、それら適応等化の結果から合成ダイバーシティ信号を生成し、
前記適応等化を行う際に、前記受信信号と前記親局からの信号の歪みの推定値との差を求め、この差信号を基に前記推定値を生成して等化を行うことを特徴とする適応型ダイバーシティ受信方法。
【請求項７】
親局からの信号を複数のアンテナで受信し、前記複数のアンテナで受信した受信信号各々に対して適応等化し、それら適応等化の結果から合成ダイバーシティ信号を生成し、
前記適応等化を行う際に、前記受信信号と前記親局からの信号の歪みの推定値との差を求め、前記差信号と前記合成ダイバーシティ信号とを基に前記推定値を生成して等化を行い、
前記合成ダイバーシティ信号を生成する際に、前記複数のアンテナ各々の系列における差信号から前記合成ダイバーシティ信号を生成することを特徴とする適応型ダイバーシティ受信方法。
【請求項８】
前記受信信号を直交変換して各周波数における伝送路特性を推定し、その推定値を基に前記合成ダイバーシティ信号の生成における重み付けを決定することを特徴とする請求項６または請求項７記載の適応型ダイバーシティ受信方法。
【請求項９】
前記複数のアンテナで受信した受信信号の位相を合わせて適応等化することを特徴とする請求項６から請求項８のいずれか記載の適応型ダイバーシティ受信方法。
【請求項１０】
前記複数のアンテナで受信した受信信号の適応等化を行い、それら適応等化された信号の位相を合わせることを特徴とする請求項６から請求項８のいずれか記載の適応型ダイバーシティ受信方法。
【発明の詳細な説明】
【０００１】
【発明の属する技術分野】
本発明は適応型ダイバーシティ受信装置及びそれに用いる適応型ダイバーシティ受信方法に関し、特に地上ディジタル放送の中継あるいは受信におけるマルチパス反射等を打ち消すために用いるダイバーシティ受信方法に関する。
【０００２】
【従来の技術】
国内地上ディジタル放送で採用されるＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ）方式においては、マルチパスに強く、移動体受信にも利用することができ、ＳＦＮ（Ｓｉｎｇｌｅ　Ｆｒｅｑｕｅｎｃｙ　Ｎｅｔｗｏｒｋ：単一周波数ネットワーク）を構成することができるという様々な特徴がある。
【０００３】
ＳＦＮに際しては、親局から中継局への配信に放送波そのものを使う方法と、光ファイバ等の別回線によって配信を行う方法とがある。コスト的には前者の方法が望ましいが、前者の方法では親局から中継局への送信におけるマルチパスや、中継局の送信アンテナから受信アンテナへの回り込み等、反射による周波数特性上の山谷（リップル）となって現れ、伝送性能に劣化が生じる。
【０００４】
この性能劣化はリップルによって、ある周波数における信号が雑音に邪魔されるため（Ｃ／Ｎが低下するため）に生じる。特に、反射の遅延時間が短かく、反射が大きい場合にはリップルも大きく、劣化の程度が甚だしくなる。
【０００５】
これらの問題に対処するため、中継局にマルチパスや回り込みをキャンセルするための装置を設置することが提案されているが、アンテナを複数建設し、複数のアンテナで受信した信号の各周波数成分の中から雑音の少ない成分を選び出して合成するスペースダイバーシティも提案されている。
【０００６】
その手法の一つとしては、ディジタル放送信号であるＯＦＤＭ信号に含まれるパイロット信号（ＳＰ）を再生し、それを基に伝送路特性を推定し、各アンテナ系の信号の各周波数成分に基づいて重み付けを決定し、各周波数の成分を混合し、合成信号を再生する方式がある。この方式としては、例えば、“スペースダイバーシティを用いた地上デジタル放送の放送波中継の検討”（中原他、映像情報メディア学会技術報告、Ｖｏｌ．２５、Ｎｏ．１３、ｐｐ．７−１２、ＢＣＳ２００１−１１、Ｍａｒ．２００１）等に記載された方法がある。
【０００７】
上記のようなＯＦＤＭ復調を行う方式では、伝送路がかなり理想的に求められ、理論値に近いダイバーシティ効果が発揮されるものの、ＯＦＤＭ復調が必要であり、装置が複雑化する。
【０００８】
【発明が解決しようとする課題】
上述した従来の複数のアンテナを用いる地上ディジタル放送のスペースダイバーシティにおいては、特性的には略理論的な限界に近づくものの、装置の複雑さが増大する。そのため、処理内容の単純化と処理量の減少とが望まれているという課題がある。
【０００９】
そこで、本発明の目的は上記の問題点を解消し、特性の劣化を招くことなく、演算の簡単化と処理量の減少とを図ることができ、装置の構造を簡単かつ小型化することができる適応型ダイバーシティ受信装置及びそれに用いる適応型ダイバーシティ受信方法を提供することにある。
【００１０】
【課題を解決するための手段】
本発明による適応型ダイバーシティ受信装置は、親局からの信号を受信する複数のアンテナと、前記複数のアンテナで受信した受信信号各々に対して適応等化する複数の等化手段と、前記複数の等化手段各々の適応等化の結果から合成ダイバーシティ信号を生成する生成手段とを備え、
前記複数の等化手段各々は、前記受信信号と前記親局からの信号の歪みの推定値との差を求め、この差信号を基に前記推定値を生成して等化を行っている。
【００１１】
本発明による他の適応型ダイバーシティ受信装置は、親局からの信号を受信する複数のアンテナと、前記複数のアンテナで受信した受信信号各々に対して適応等化する複数の等化手段と、前記複数の等化手段各々の適応等化の結果から合成ダイバーシティ信号を生成する生成手段とを備え、
前記複数の等化手段各々は、前記受信信号と前記親局からの信号の歪みの推定値との差を求め、前記差信号と前記合成ダイバーシティ信号とを基に前記推定値を生成して等化を行い、
前記生成手段は、前記複数のアンテナ各々の系列における差信号から前記合成ダイバーシティ信号を生成している。
【００１２】
本発明による適応型ダイバーシティ受信方法は、親局からの信号を複数のアンテナで受信し、前記複数のアンテナで受信した受信信号各々に対して適応等化し、それら適応等化の結果から合成ダイバーシティ信号を生成し、
前記適応等化を行う際に、前記受信信号と前記親局からの信号の歪みの推定値との差を求め、この差信号を基に前記推定値を生成して等化を行っている。
【００１３】
本発明による他の適応型ダイバーシティ受信方法は、親局からの信号を複数のアンテナで受信し、前記複数のアンテナで受信した受信信号各々に対して適応等化し、それら適応等化の結果から合成ダイバーシティ信号を生成し、
前記適応等化を行う際に、前記受信信号と前記親局からの信号の歪みの推定値との差を求め、前記差信号と前記合成ダイバーシティ信号とを基に前記推定値を生成して等化を行い、
前記合成ダイバーシティ信号を生成する際に、前記複数のアンテナ各々の系列における差信号から前記合成ダイバーシティ信号を生成している。
【００１４】
すなわち、本発明の第１のダイバーシティ受信装置は、複数のアンテナで受信した信号各々に対して適応等化する手段と、各適応等化の結果から合成ダイバーシティ信号を生成する手段とを有している。
【００１５】
本発明の第２のダイバーシティ受信装置は、上記の構成において、適応等化する手段が、受信信号と親局信号推定値との差を求め、この差信号を基に親局信号推定値を生成して等化を行っている。
【００１６】
本発明の第３のダイバーシティ受信装置は、上記の構成において、適応等化する手段が、受信信号と親局信号推定値との差を求め、差信号と合成ダイバーシティ信号とを基に親局信号推定値を生成して等化を行い、合成ダイバーシティ信号を生成する手段が、各アンテナ系における差信号から合成ダイバーシティ信号を生成している。
【００１７】
本発明の第４のダイバーシティ受信装置は、上記の構成において、受信信号を直交変換し、各周波数における伝送路特性を推定し、その推定値を基に合成における重み付けを決定する手段を有している。
【００１８】
本発明の第５のダイバーシティ受信装置は、上記の構成において、適応等化する手段が、複数のアンテナで受信した信号の位相を合わせて適応等化を行っている。
【００１９】
本発明の第６のダイバーシティ受信装置は、上記の構成において、適応等化する手段が、複数のアンテナで受信した信号の適応等化を行い、各アンテナの等化された信号の位相を合わせるようにしている。
【００２０】
本発明では、上記の構成をとることで、装置構造の簡単化及び小型化を図ることが容易となり、しかも安定で高性能な適応型ダイバーシティ受信方法を実現することが可能となる。
【００２１】
【発明の実施の形態】
次に、本発明の実施の形態について図面を参照して説明する。図１は本発明の実施の形態によるダイバーシティ受信装置の構成を示すブロック図である。図１において、本発明の実施の形態によるダイバーシティ受信装置は複数の受信アンテナ１−ｋ（ｋ＝１，・・・，ｉ，・・・，Ｉ）と、位相同期回路２−ｋと、等化回路（Ｗ１　〜ＷＩ　）３−ｋと、合成回路４とから構成されている。
【００２２】
図示せぬ親局から送られてきた放送波は伝送路（図示せず）を介して中継装置の受信アンテナ１−ｋに入力される。伝送路の途中の反射はマルチパス（ゴースト）となる。
【００２３】
各受信アンテナ１−ｋで受信された信号は位相同期回路２−ｋでそれぞれの位相が合うように制御され、等化回路３−ｋに加えられてその信号の周波数特性がフラット化され、合成回路４で合成されて合成ダイバーシティ信号が生成される。
【００２４】
合成回路４では上記の信号の各周波数における雑音成分が減少するように（Ｃ／Ｎが改善されるように）、合成が行われる。その際、各アンテナ系＃１〜＃Ｉの位相が揃っている必要がある。本実施例においては、各アンテナ系＃１〜＃Ｉの位相を合わせるために等化回路３−ｋの前段に位相同期回路２−ｋを挿入しているが、位相同期回路２−ｋは必ずしもこの位置に置く必要はない。例えば、合成回路４の前でもよい。
【００２５】
一般の通信路では、位相同期を正確に合わせるのが難しいが、本実施例においては等化が行われているため、各アンテナ系＃１〜＃Ｉの等化の効果を用いると、高い精度で同期させることができる。合成回路４で各アンテナ系＃１〜＃Ｉの信号を合成することによって、全体として受信アンテナ１−ｋに入力された雑音成分を相対的に減らすことができ、ダイバーシティ効果が生まれる。
【００２６】
図２は本発明の第１の実施例によるダイバーシティ受信装置の全体構成を示すブロック図である。図２において、本発明の第１の実施例によるダイバーシティ受信装置は受信アンテナ１−ｋ（ｋ＝１，・・・，ｉ，・・・，Ｉ）と、位相同期回路２−ｋと、加算器５−ｋと、適応フィルタ６−ｋと、合成用加算回路４１とから構成されている。
【００２７】
以下、ｉ番目のアンテナ系＃ｉに注目して説明する。位相同期回路２−ｉを出た信号は加算器５−ｉと適応フィルタ６−ｉとからなる等化回路（図１の等価回路３−ｋに相当）に入力される。加算器５−ｉの出力は他のアンテナ系＃１，・・・，＃Ｉからの信号とともに、合成用加算回路４に入力される。加算器５−ｉの出力はさらに適応フィルタ６−ｉに入力される。適応フィルタ６−ｉから伝送路での反射等によって生じた歪みの推定値が出力され、加算器５−ｉに加えられる。適応フィルタ６−ｉは加算器５−ｉの出力電力が小さくなるように、フィルタ係数を修正する。
【００２８】
適応フィルタ６−ｉの動作については、本願出願人による「適応型回り込みキャンセル装置」で提案されている、回り込みやマルチパス特性を推定して反射信号の推定値を出力するという動作で実現することができる。適応フィルタ６−ｉについては、ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ）信号が帯域制限されているため、動作が不安定になる恐れがある。そのため、加算器５−ｉの出力に安定化のためのフィルタあるいは遅延を挿入している。
【００２９】
適応フィルタ６−ｉのフィルタ係数を求める際に、さらに安定化する方法もある。例えば、本願出願人による「反射打ち消し装置」で提案されている方法がある。この方法について図３を用いて簡単に説明する。
【００３０】
図３は図２の適応フィルタ６−ｉの構成例を示すブロック図である。図３において、適応フィルタ６−ｉは帯域外雑音を付加し、適応フィルタの安定性を実現するものである。
【００３１】
加算器５−ｉで等化された信号は打ち消しフィルタ６１−ｉと雑音付加器６３−ｉとに入力される。雑音付加器６３−ｉは帯域外雑音発生器６４−ｉで作られた帯域外雑音のレベルを調整しながら、係数算出器６２−ｉに入力される。打ち消しフィルタ６１−ｉは係数算出器６２−ｉから与えられるフィルタ係数を用いて受信信号推定値を出力する。係数算出器６２−ｉは雑音付加器６３−ｉの出力から打ち消しフィルタ６１−ｉで用いるフィルタ係数を作成する。
【００３２】
これら図２及び図３を参照して本発明の第１の実施例の動作原理について説明する。地上ディジタル放送システムの中継装置では、親局からの信号が様々な伝播経路を通り、複数のアンテナで受信される。受信信号にはマルチパス反射及び伝送路雑音等が加わっている。また、中継装置自体の出力からの回り込み信号についても同様である。したがって、マルチパス伝送路及び回り込み伝送路はＦＩＲ（Ｆｉｎｉｔｅ　Ｉｍｐｕｌｓｅ　Ｒｅｓｐｏｎｓｅ）フィルタで近似することができる。
【００３３】
ここで、マルチパス伝送路特性を「１＋Ｍ」で表す。同様に、回り込み伝送路特性を「Ｆ」で表す。親局信号を「Ｘ」、回り込み伝送路からの回り込み信号を「Ｙ」、中継装置の出力信号を「Ｓ」と簡単に表記した場合、回り込みに対処するための等化回路特性を「Ｔ」とすると、中継装置において各信号は、
（Ｘ（１＋Ｍ）＋Ｓ×Ｆ）Ｔ＝Ｓ
で関係付けられる。この場合、
Ｔ＝１／（１−Ｍ−Ｆ）
となると、中継装置の出力Ｓが親局信号Ｘと等しくなる。
【００３４】
したがって、回り込み伝送路やマルチパス伝送路をＦＩＲで表現することができる場合には、反射打ち消しのためのフィルタをＩＩＲ（Ｉｎｆｉｎｉｔｅ　Ｉｍｐｌｓｅ　Ｒｅｓｐｏｎｓｅ）フィルタとして配置すると良いことが判る。
【００３５】
実際、図２に示すダイバーシティ受信装置においては、等化回路３−ｉを構成する適応フィルタ６−ｉそれ自身がトランスバーサルフィルタ、つまりＦＩＲで表現されており、等化回路３−ｉとしてはＩＩＲフィルタになっている。また、このフィルタは、理想的には、マルチパス、回り込みの両方による歪みを打ち消すことができる能力を持っている。
【００３６】
しかしながら、加算器５−ｉと適応フィルタ６−ｉとでループを描いている適応型ＩＩＲフィルタであるため、回り込み量が多い場合には不安定になる要素が極めて大きい。また、親局信号Ｘが雑音として作用するため、システム同定という観点からは収束性にきわめて強い制限が生じる。尚、マルチパスに対して、等化回路３−ｉはマルチパスの含まれる伝送路の逆特性を求めることになる。以下、それらの問題点について具体的に述べる。
【００３７】
適応フィルタ６−ｉの係数を決めるに当たって、中継装置においては親局信号Ｘを知ることができない。つまり、送信信号Ｓを親局信号Ｘに近づけるという規範は使えない。したがって、その代わりとして、受信信号（Ｘ＋Ｙ）と歪みの推定値Ｚとの差Ｅの電力を最小にするように、フィルタの係数を修正する最小二乗法を用いる。そのため、親局信号Ｘが外乱として作用することになる。
【００３８】
また、ＯＦＤＭ信号は白色雑音ではなく、帯域の制限された（その帯域の中では略フラットな周波数特性となっているが）信号であり、信号の存在しない帯域では特性を求めることができない。回り込みのある場合には、そのループゲインが「１」以上になることもあり、帯域外で一旦雑音が発生すると、成長を開始し、動作不安定となる恐れがある。
【００３９】
したがって、逐次適応型フィルタでは帯域外成分に対して、若干のロス（数ｄＢでよい）を与えるための安定化フィルタを挿入したり、遅延を挿入することによって、収束特性を改善することができる。しかしながら、それでは性能が不十分となり、短時間のマルチパス反射を打ち消すことができないという問題がある。そのため、帯域外雑音を付加してから重み付け係数を求めることによって、その安定性が改善され、従来、必要であった安定化フィルタや遅延が不要になる。
【００４０】
フィルタ係数の修正の具体例を示す。サンプル時刻ｊにおいて適応フィルタ６−ｉのｎ番目の係数ｈ（ｎ）　は、
ｈ（ｎ）　←ｈ（ｎ）　＋μ×Ｓ（ｊ）　×Ｓ（ｊ−ｎ）
のように修正される。ここでμは小さな正の値であり、例えば、μ＝０．０１／Ｐ等の値が用いられる。尚、ＰはＳ（ｊ−１）　からＳ（ｊ−Ｎ）　の二乗和を表す。この式を用いると、信号電力にばらつき、あるいは変動があっても対応することができる。但し、このμの最適値は実験的に求めることが多い。
【００４１】
逐次適応型フィルタにおいてはフィルタ係数が正しくない方向へ修正されることが確率的にあり得るため、フィルタ係数にリーク作用を加え過去の影響を徐々に消すことは実際上有効である。その方法として、係数の修正毎に係数に「１」よりほんの僅か小さな値（０．９９９９９等）を乗じるか、またはある小さな正の定数を定め、フィルタ係数が正であればこの定数を減じ、負であればこの定数を加算する方法がある。いずれにしても過去の影響を徐々に消すことによって、適応フィルタの安定性をより増すことができる。
【００４２】
図３においては、重み付け係数を求める際、上記の式のＳ（ｊ）　の代わりに「Ｓ（ｊ）　＋Ｎ（ｊ）　」を用いる。これによって、係数を求めるに当たって、全帯域に信号が存在することになり、信号が帯域制限されていることによる不安定さを解消することができる。但し、雑音が送信信号の中に紛れ込むことのないように、重み付け係数の修正にのみ雑音を使用する。つまり、受信信号の推定と係数の修正とを異なる回路で行っている。
【００４３】
図４は本発明の第２の実施例によるダイバーシティ受信装置の構成を示すブロック図である。図４において、本発明の第２の実施例は、適応フィルタ６−ｉの入力信号として合成用加算回路４１の出力を用いる以外は図２に示す本発明の第１の実施例と同様の構成となっており、同一構成要素には同一符号を付してある。このようにすると、適応フィルタ６−ｉの出力である受信信号推定値の中の雑音成分が減少し、ダイバーシティ効果が改善される。尚、本発明の第１及び第２の実施例の合成用加算回路４１においては、単なる加算でもよいが、各アンテナ系の電力に応じた重み付けを施してから加算することで、さらに特性を改善することができる。
【００４４】
図５は本発明の第３の実施例によるダイバーシティ受信装置の構成を示すブロック図である。図５において、本発明の第３の実施例によるダイバーシティ受信装置は、等化回路を直交変換回路７−ｋ（ｋ＝１，・・・，ｉ，・・・，Ｉ）と、係数加算器８−ｋと、直交変換型適応フィルタ９−ｋとから構成し、合成回路を振幅制御回路４２と合成用係数加算回路４３と逆直交変換回路４４とから構成している。
【００４５】
直交変換としては様々な変換があるが、例えば次数Ｎの離散フーリエ変換を用いることができる。直交変換を用いた適応制御方法は、以下のような動作を行うことで実現することができる。
【００４６】
図６は図５の直交変換回路７−ｉと係数加算器８−ｉと直交変換型適応フィルタ９−ｉとにおける処理の流れを示すブロック図である。図６において、ＤＦＴ（Ｄｉｓｃｒｅｔｅ　Ｆｏｕｒｉｅｒ　Ｔｒａｎｓｆｏｒｍ：離散フーリエ変換）を用いると、直交変換回路７−ｉの出力にはＮ個の離散フーリエ変換の結果である変換係数が得られる。変換係数は振幅制御回路４２と係数加算器８−ｉに入力される。
【００４７】
振幅制御回路４２は各アンテナ系＃１〜＃Ｉからの変換係数から、各アンテナ系＃１〜＃Ｉの各周波数における伝送路特性を推定し、適切な重み付け係数を求め、合成用係数加算回路４３に出力する。係数加算器８−ｉは変換係数から、直交変換型適応フィルタ９−ｉから出力される推定値を差し引いて出力する。直交変換型適応フィルタ９−ｉは係数加算器８−ｉの出力を入力し、推定値を出力するとともに、係数加算器８−ｉの出力が小さくなるように重み付け係数を修正する。
【００４８】
図７は本発明の第４の実施例によるダイバーシティ受信装置の構成を示すブロック図である。図７において、本発明の第３の実施例によるダイバーシティ受信装置は、等化回路を直交変換回路７−ｋ（ｋ＝１，・・・，ｉ，・・・，Ｉ）と、係数加算器８−ｋと、直交変換型適応フィルタ９−ｋとから構成し、合成回路を振幅制御回路４２と合成用係数加算回路４３と逆直交変換回路４４とから構成しており、合成用係数加算回路４３の出力を直交変換型適応フィルタ９−ｋに入力することで、その特性を本発明の第３の実施例よりも改善している。
【００４９】
上述した本発明の第３及び第４の実施例においては、直交変換に帯域外雑音を加えることができ、その際の重み係数の算出の仕方は、上述した本発明の第１の実施例と同様の方法を用いることができる。
【００５０】
このように、受信信号と受信信号推定値との差信号を求め、その差信号から受信信号推定値を発生するフィルタを設け、この差信号に帯域外雑音を加えた信号を基にフィルタの係数を求めることによって、装置の構造が簡単でかつ小型化が容易であり、特性が良く、安定した動作を得ることができる。
【００５１】
【発明の効果】
以上説明したように本発明は、親局からの信号を複数のアンテナで受信し、複数のアンテナで受信した受信信号各々に対して適応等化し、それら適応等化の結果から合成ダイバーシティ信号を生成することによって、特性の劣化を招くことなく、演算の簡単化と処理量の減少とを図ることができ、装置の構造を簡単かつ小型化することができるという効果が得られる。
【図面の簡単な説明】
【図１】本発明の実施の形態によるダイバーシティ受信装置の構成を示すブロック図である。
【図２】本発明の第１の実施例によるダイバーシティ受信装置の全体構成を示すブロック図である。
【図３】図２の適応フィルタの構成例を示すブロック図である。
【図４】本発明の第２の実施例によるダイバーシティ受信装置の構成を示すブロック図である。
【図５】本発明の第３の実施例によるダイバーシティ受信装置の構成を示すブロック図である。
【図６】図５の直交変換回路と係数加算器と直交変換型適応フィルタとにおける処理の流れを示すブロック図である。
【図７】本発明の第４の実施例によるダイバーシティ受信装置の構成を示すブロック図である。
【符号の説明】
１−１，１−ｉ，１−Ｉ　受信アンテナ
２−１，２−ｉ，２−Ｉ　位相同期回路
３−１，３−ｉ，３−Ｉ　等化回路
４　合成回路
５−１，５−ｉ，５−Ｉ　加算器
６−１，６−ｉ，６−Ｉ　適応フィルタ
７−１，７−ｉ，７−Ｉ　直交変換回路
８−１，８−ｉ，８−Ｉ　係数加算器
９−１，９−ｉ，９−Ｉ　直交変換型適応フィルタ
４１　合成用加算回路
４２　振幅制御回路
４３　合成用係数加算回路
４４　逆直交変換回路
６１−ｉ　打ち消しフィルタ
６２−ｉ　係数算出器
６３−ｉ　雑音付加器
６４−ｉ　帯域外雑音発生器
【図１】
2004040424.tif 000003
【図２】
2004040424.tif 000004
【図３】
2004040424.tif 000005
【図４】
2004040424.tif 000006
【図５】
2004040424.tif 000007
【図６】
2004040424.tif 000008
【図７】
2004040424.tif 000009